(57)【要約】【課題】 抽痰管濾過構造を提供する。【解決手段】空気汚染源の阻害隔絶に用いる抽痰管濾過構造で、該構造は管体を主体とし、該管体は弓形を呈し、その上には第一接続管及び第二接続管を備え、第一接続管内には阻害隔絶体を設置し、空気中の微粒子の阻害隔絶に用いる。さらに複数の穿孔を備えた外蓋を接続し、該阻害隔絶体の位置を固定し、また、第二接続管内部には隔板を設置し、該隔板の板面上には柵状の複数の間隙を開設する。これにより大型異物の該抽痰管への出入りを阻害隔絶し、該濾過構造を該抽痰管中に設置することにより、空気が該抽痰管中を出入りする時にはそれに含まれる微粒子、及び患者の呼吸道から導出される痰或いは細菌を同時に隔絶し、患者及び周囲の人の健康を確保する。【選択図】  図１
0003129945.tif 000002
【実用新案登録請求の範囲】
【請求項１】
主に抽痰管上に連接する管体と阻害隔絶体と外蓋とからなり、
前記管体上には第一接続管及び第二接続管を備え、
前記阻害隔絶体は前記第一接続管内に設置し、
前記外蓋は該第一接続管の管口上に嵌設し、前記阻害隔絶体を固定し、しかも該外蓋3上には外蓋を貫通する複数の穿孔を設置し、
該阻害隔絶体の作用により、空気中の異物、微粒子或いは細菌を阻害隔絶することを特徴とする抽痰管濾過構造。
【請求項２】
前記第二接続管内には隔板を設置し、該隔板の外周縁は該第二接続管の内縁周面にちょうど嵌設され、該隔板上には複数の間隙を設置することを特徴とする請求項１記載の抽痰管濾過構造。
【請求項３】
前記隔板の複数の間隙は柵状を呈することを特徴とする請求項２記載の抽痰管濾過構造。
【請求項４】
前記管体の外観は弓形を呈することを特徴とする請求項１記載の抽痰管濾過構造。
【請求項５】
前記第一接続管の内縁底部には径方向に延伸する環状凸板を備えることを特徴とする請求項１記載の抽痰管濾過構造。
【請求項６】
前記阻害隔絶体の底面周縁は該環状凸板にちょうど接触固定することを特徴とする請求項５記載の抽痰管濾過構造。
【請求項７】
前記阻害隔絶体は高密度のスポンジ体であることを特徴とする請求項１記載の抽痰管濾過構造。
【請求項８】
前記阻害隔絶体の外観は円柱状を呈することを特徴とする請求項１記載の抽痰管濾過構造。
【請求項９】
前記阻害隔絶体の外周囲面は該第一接続管の内縁周囲面にちょうど緊密に接触することを特徴とする請求項１記載の抽痰管濾過構造。
【請求項１０】
前記外蓋上の複数の穿孔の排列は放射状を呈することを特徴とする請求項１記載の抽痰管濾過構造。
【請求項１１】
前記第二接続管の外周囲面には間隔を開けて排列する複数の凸柱を設置することを特徴とする請求項１記載の抽痰管濾過構造。
【考案の詳細な説明】
【技術分野】
【０００１】
本考案は医療過程等で使用する一種の抽痰管体に関する。特に、一種の空気の雑質を濾過する抽痰管体構造に係る。
【背景技術】
【０００２】
一般の医療過程において、医師は呼吸道内に存在する痰液を自分で排除できない病人に安全上の問題が発生するのを防ぐために、抽痰管を使用し病人の呼吸道内の痰液を吸引排除し、スムーズな呼吸を保持している。
現在使用されている抽痰管は病人に痰液を除去する作用を提供する他に、送酸素管を連接し酸素を病人の呼吸道内に送り込む作用をも備え、これにより病人の持続呼吸を助ける。よって抽痰の機能と呼吸補助の機能を一体に結合させるため、公知技術中の抽痰管は複数の接続管口を備える抽痰管弁を備え、抽痰管及び送酸素管、或いはその他導管を連接する連結中枢とする。
抽痰管構造中の抽痰管弁は気道と直接連通するため、病人が吐き出した空気は気道を経由後、該抽痰管弁を通って排出されるが、患者が吐き出す空気には残留病原菌、或いは完全に排除されていない痰液等が含まれるため、空気を外界に吐き出すと、他人を感染させる感染源の一つになりかねない。
しかし、公知の抽痰管弁構造中には、空気の流通に用いる管道が開放されている他、接続管の管道封鎖が採用されておらず、公知の構造中には空気を濾過する構造が存在しない。これでは、病人が吐き出した空気はもう一つの感染ルートになってしまい、さらには外界空気が含む微粒子或いは病原菌が直接病人の気道内に侵入し、病人の呼吸道に影響を及ぼす可能性がある。
【特許文献１】特開２００２−１７７３７８号公報
【考案の開示】
【考案が解決しようとする課題】
【０００３】
従来の公知構造には以下の欠点があった。
すなわち、公知の抽痰管弁構造は、空気を濾過する構造が存在しないため、病人の呼気に含まれる病原菌、微量の痰等は直接外界に排出され、周囲に感染を広げる恐れがある。さらには外界空気が含む微粒子或いは病原菌が直接病人の気道内に侵入し、病人の呼吸道に影響を及ぼす可能性もある。
本考案は、従来の公知構造の問題点に鑑みてなされたもので、病原菌、微量の痰に含まれる細菌等の感染を防ぎ、外界空気が含む微粒子或いは病原菌が直接病人の気道内に侵入するを防ぐ抽痰管濾過構造を提供するものである。
【課題を解決するための手段】
【０００４】
上記課題を解決するため、本考案は下記の抽痰管濾過構造を提供する。
それは、主に濾過作用を備えた抽痰管濾過構造を提供し、抽痰管弁と連通を形成する管体内部に、大型異物を阻害隔絶する隔板と微粒子及び細菌を阻害隔絶する阻害隔絶体を設置する二重の阻害隔絶方式により患者が抽痰管弁を呼吸ルートとする時の気道の安全性を確保し、同時に吐き出された空気が周囲の人を感染させてしまう危険を排除し、すなわちそれは抽痰管濾過構造を提供し、該構造は管体を主体とし、該管体は弓形を呈し、その上には第一接続管及び第二接続管を備え、該第一接続管内には阻害隔絶体を設置し、空気中の微粒子の阻害隔絶に用い、複数の穿孔を備えた外蓋を設置し、該阻害隔絶体の位置を固定し、別に該第二接続管内部には隔板を設置し、該隔板の板面上には柵状の複数の間隙を開設し、これにより大型異物の該抽痰管への出入りを阻害隔絶し、該濾過構造を該抽痰管上に設置することで、空気が該抽痰管中を出入りする時にはそれに含まれる微粒子、及び患者の呼吸道から導出される痰或いは細菌を同時に隔絶し、患者及び周囲の人の健康を確保する抽痰管濾過構造を提供する。
【０００５】
すなわち、請求項１の考案は、主に抽痰管上に連接する管体と阻害隔絶体と外蓋とからなり、前記管体上には第一接続管及び第二接続管を備え、前記阻害隔絶体は前記第一接続管内に設置し、前記外蓋は該第一接続管の管口上に嵌設し、前記阻害隔絶体を固定し、しかも該外蓋3上には外蓋を貫通する複数の穿孔を設置し、該阻害隔絶体の作用により、空気中の異物、微粒子或いは細菌を阻害隔絶することを特徴とする抽痰管濾過構造である。
【０００６】
請求項２の考案は、前記第二接続管内には隔板を設置し、該隔板の外周縁は該第二接続管の内縁周面にちょうど嵌設され、該隔板上には複数の間隙を設置することを特徴とする請求項１記載の抽痰管濾過構造である。
請求項３の考案は、前記隔板の複数の間隙は柵状を呈することを特徴とする請求項２記載の抽痰管濾過構造である。
請求項４の考案は、前記管体の外観は弓形を呈することを特徴とする請求項１記載の抽痰管濾過構造である。
請求項５の考案は、前記第一接続管の内縁底部には径方向に延伸する環状凸板を備えることを特徴とする請求項１記載の抽痰管濾過構造である。
請求項６の考案は、前記阻害隔絶体の底面周縁は該環状凸板にちょうど接触固定することを特徴とする請求項５記載の抽痰管濾過構造である。
請求項７の考案は、前記阻害隔絶体は高密度のスポンジ体であることを特徴とする請求項１記載の抽痰管濾過構造である。
請求項８の考案は、前記阻害隔絶体の外観は円柱状を呈することを特徴とする請求項１記載の抽痰管濾過構造である。
請求項９の考案は、前記阻害隔絶体の外周囲面は該第一接続管の内縁周囲面にちょうど緊密に接触することを特徴とする請求項１記載の抽痰管濾過構造である。
請求項１０の考案は、前記外蓋上の複数の穿孔の排列は放射状を呈することを特徴とする請求項１記載の抽痰管濾過構造である。
請求項１１の考案は、前記第二接続管の外周囲面には間隔を開けて排列する複数の凸柱を設置することを特徴とする請求項１記載の抽痰管濾過構造である。
【考案の効果】
【０００７】
上記のように、本考案の抽痰管濾過構造によれば、抽痰管弁と連通を形成する管体内部に大型異物を阻害隔絶する隔板と微粒子及び細菌を阻害隔絶する阻害隔絶体を設置し、この二重の阻害隔絶方式により患者が抽痰管弁を呼吸ルートとする時の気道の安全性を確保し、また、患者の呼気が感染源となる危険を排除することができる。
【考案を実施するための最良の形態】
【０００８】
本考案の好適な抽痰管濾過構造の実施例を図面を参照して説明する。
本発明の抽痰管濾過構造の実施例の立体構造分解図、構造断面図及び正面図である図１〜３に示すように、本考案の実施例の濾過構造(フィルター)は管体1を主体とする。本実施例中の該管体1の外観は弓形を呈し、該管体1の内部は連通、その上には第一接続管11及び第二接続管12を備える。
前記第一接続管11の管口は円形で、該第一接続管11内縁底部には径方向に延伸する環状凸板111を備える。
また、該第一接続管11内部には阻害隔絶体2を設置する。本実施例中の該阻害隔絶体2は高密度のスポンジ体で、内外空気中に含まれる微粒子及び病原菌を隔絶する。該阻害隔絶体2の外観は円柱体を呈し、該第一接続管11の内部にちょうど設置される。しかも該阻害隔絶体2の底端及び外周囲面はそれぞれ該第一接続管11内の環状凸板111及び内縁周囲面上に密着する。
該第一接続管11には外蓋3を嵌設し、該外蓋3の外観は円型を呈する。該外蓋3の上端面には複数の穿孔31を開設し、該穿孔31は該外蓋3の本体を貫通し、実質的な空気流道を形成する。
本実施例中の該穿孔31の排列方式は放射状を呈し、該外蓋3を該第一接続管11に嵌設後、該外蓋3の底端は該阻害隔絶体2の上端面周縁を圧迫固定し、これにより該阻害隔絶体2の位置を固定する。
該第二接続管12の外観は円形を呈し、抽痰管の抽痰管弁5(抽痰管)上に連接し（図４参照、詳細は後述）、該第二接続管12を備える管体外周面上には間隔を開けて排列する複数の凸柱121を設置する。該第二接続管12内部には隔板4を設置し、該隔板4は円形板体を呈する。該隔板4の外周縁は該第二接続管12の内縁周面にちょうど嵌設し、同時に該隔板4の板面には複数の平行の間隙41を柵状に開設する。また該第二接続管12の管口は垂直に形成し、実質的な空気流道を形成し、大型異物の出入りを阻害隔絶する。
【０００９】
本考案の実施例の操作組合せ指示図、側面図及び局部断面図である図４〜６に示すように、本考案の濾過構造は病人が連接する気管及び抽痰管の抽痰管弁5上に嵌設する。
図４に示すように、該濾過構造上の第二接続管12と該抽痰管弁5の一端管口51上は、該抽痰管弁5内部と連通状態を形成し、同時に該抽痰管弁5と患者の気道と連接し連通を形成する。
図５の側面図に示すように、患者の気道から吐き出された空気は該濾過構造を経由し流通状態を生じる。患者から排出された空気は病原菌或いは完全に除去されていない痰を含むため、吐き出された空気に従い外部へと伝わる。よって空気が外に向かい吐き出されると、図６の矢印方向に示すように、先ず該第二接続管12内に設置する隔板4を通過し、空気中に含まれる痰などの比較的大きい異物は該隔板4上で阻害され、通過した空気は該第一接続管11中に流れ込む。続いて該第一接続管11内に設置される阻害隔絶体2を通過し、空気中の微粒子或いは病原菌を完全に隔絶し、最後にきれいな空気を外界へと導出する。
こうして、患者の呼気が他人の健康に影響を及ぼさないようにし、同時に該第一接続管11に設置する阻害隔絶体2もまた外界の空気が含む微粒子或いは細菌が患者の気道中に流入し、患者が感染することのないよう確保する。
【００１０】
このように、本実施例は第一接続管内には阻害隔絶体を設置し、空気中の微粒子の阻害隔絶に用い、さらに、複数の穿孔を備えた外蓋を接続し、阻害隔絶体の位置を固定し、第二接続管内部には隔板を設置し、該隔板の板面上には柵状の複数の間隙を開設することにより、大型異物の抽痰管への出入りを阻害隔絶し、濾過構造を抽痰管中に設置することにより、空気が抽痰管中を出入りする時にはそれに含まれる微粒子、及び患者の呼吸道から導出される痰或いは細菌を同時に隔絶する。
なお、本考案の特徴を損なうものでなければ、上記実施例に限定されるものでないことは勿論である。
【図面の簡単な説明】
【００１１】
【図１】本考案の実施例の立体構造分解図である。
【図２】本考案の実施例の構造断面図である。
【図３】本考案の実施例の構造正面図である。
【図４】本考案の実施例の操作組合せ指示図である。
【図５】本考案の実施例の操作側面図である。
【図６】本考案の実施例の局部断面図である。
【符号の説明】
【００１２】
1  管体
11  第一接続管
111  凸板
12  第二接続管
121  凸柱
2  阻害隔絶体
3  外蓋
31  穿孔
4  隔板
41  間隙
5  抽痰管弁(抽痰管)
51  管口
【図１】
0003129945.tif 000003
【図２】
0003129945.tif 000004
【図３】
0003129945.tif 000005
【図４】
0003129945.tif 000006
【図５】
0003129945.tif 000007
【図６】
0003129945.tif 000008